(57)【要約】【課題】外部デバイスに格納に格納され、メモリカードに格納されているコンテンツ鍵に対応する暗号化コンテンツをユーザが確認できるようにすること。【解決手段】コンテンツを一つ以上有する外部デバイスとピアツーピア形式で通信が可能な近接無線通信ユニット３００と、近距離無線通信デバイスが近距離無線通信を行っている外部デバイスが有するコンテンツのコンテンツ特定情報を取得する手段３０１と、ユーザデータ領域に格納されているリスト情報から取得したコンテンツを示す情報に一致するコンテンツ特定情報を検出するコンテンツ検索モジュール３０２と、検出されたコンテンツ特定情報に対応するコンテンツのリストを表示デバイスの表示画面上に表示する表示モジュール３０４とを具備する。【選択図】    図１１
2010061374.tif 000002
【特許請求の範囲】
【請求項１】
表示画面を有する表示デバイスと、
ユーザ鍵によって暗号化される１以上の暗号化コンテンツ鍵、各暗号化コンテンツ鍵に対応するコンテンツ毎に当該コンテンツに固有なコンテンツ特定情報のリスト情報が格納されるユーザデータ領域を有するメモリカードが挿抜可能なカードスロットと、
前記コンテンツを一つ以上有する外部デバイスとピアツーピア形式で通信が可能な近距離無線通信デバイスと、
前記近距離無線通信デバイスが近距離無線通信を行っている外部デバイスが有するコンテンツのコンテンツ特定情報を取得する手段と、
前記ユーザデータ領域に格納されているリスト情報から前記取得したコンテンツを示す情報に一致するコンテンツ特定情報を検出するコンテンツ特定情報検出手段と、
前記検出されたコンテンツ特定情報に対応するコンテンツのリストを前記表示デバイスの表示画面上に表示する表示処理手段とを具備することを特徴とする表示装置。
【請求項２】
前記ユーザデータ領域には当該各コンテンツ特定情報に対する再生条件を示す情報が格納され、
当該各コンテンツ特定情報に対する再生条件を示す情報を参照することによって、前記コンテンツ特定情報検出手段によって検出されたコンテンツ特定情報から前記近距離無線通信を行っている外部デバイスと前記表示装置との組み合わせで再生することができるコンテンツ特定情報を検出する再生可能コンテンツ検出手段を更に具備し、
前記表示種処理手段は、前記再生可能コンテンツ検出手段によって検出されたコンテンツ特定情報に対応するコンテンツのリストを前記表示デバイスの表示画面上に表示することを特徴とする請求項１に記載の表示装置。
【請求項３】
前記ユーザデータ領域には当該各コンテンツ特定情報に対する再生条件を示す情報が格納され、
当該各コンテンツ特定情報に対する再生条件を示す情報を参照し、前記近距離無線通信を行っている外部デバイスと前記表示装置との組み合わせで再生することができないコンテンツ特定情報を検出する再生不能コンテンツ検出手段を更に具備し、
前記表示処理手段は、再生不能コンテンツ検出手段によって検出されたコンテンツ特定情報に対応するコンテンツが他のコンテンツと区別できるように前記コンテンツのリストを前記表示画面上に表示するための処理を実行することを特徴とする請求項１に記載の表示装置。
【請求項４】
前記ユーザデータ領域には当該各コンテンツ特定情報に対する利用条件を示す情報が格納され、
前記表示処理手段は、当該各コンテンツ特定情報に対する利用条件を示す情報を参照し、検出されたコンテンツの利用条件を前記リスト中に表示することを特徴とする請求項１に記載の表示装置。
【請求項５】
前記ユーザデータ領域に格納されている暗号化コンテンツ鍵に対応するタイトルの情報が前記ユーザデータ領域に格納され、
前記表示処理手段は、検出されたコンテンツのタイトルを前記リスト中に表示することを特徴とする請求項１に記載の表示装置。
【請求項６】
ユーザ鍵によって暗号化される１以上の暗号化コンテンツ鍵、各暗号化コンテンツ鍵に対応するコンテンツ毎に当該コンテンツに固有なコンテンツ特定情報のリスト情報が格納されるユーザデータ領域を有するメモリカードが挿抜可能なカードスロットと、前記コンテンツを一つ以上有する外部デバイスとピアツーピア形式で通信が可能な無線通信デバイスとを有する表示装置の鍵管理方法であって、
前記近距離無線通信デバイスが近距離無線通信を行っている外部デバイスが有するコンテンツのコンテンツ特定情報を取得し、
前記ユーザデータ領域に格納されているリスト情報から前記取得したコンテンツを示す情報に一致するコンテンツ特定情報を検出し、
前記検出されたコンテンツ特定情報に対応するコンテンツのリストを表示デバイスの表示画面上に表示することを特徴とする鍵管理方法。
【請求項７】
前記ユーザデータ領域には当該各コンテンツ特定情報に対する再生条件を示す情報が格納され、
当該各コンテンツ特定情報に対する再生条件を示す情報を参照することによって、前記コンテンツ特定情報検出手段によって検出されたコンテンツ特定情報から前記近距離無線通信を行っている外部デバイスと前記表示装置との組み合わせで再生することができるコンテンツ特定情報を検出し、
前記再生可能コンテンツ検出手段によって検出されたコンテンツ特定情報に対応するコンテンツのリストを前記表示デバイスの表示画面上に表示することを特徴とする請求項６に記載の鍵管理方法。
【請求項８】
前記ユーザデータ領域には当該各コンテンツ特定情報に対する再生条件を示す情報が格納され、
当該各コンテンツ特定情報に対する再生条件を示す情報を参照し、前記近距離無線通信を行っている外部デバイスと前記表示装置との組み合わせで再生することができないコンテンツ特定情報を検出し、
再生不能コンテンツ検出手段によって検出されたコンテンツ特定情報に対応するコンテンツが他のコンテンツと区別できるように前記コンテンツのリストを前記表示画面上に表示することを特徴とする請求項６に記載の鍵管理方法。
【請求項９】
前記ユーザデータ領域には当該各コンテンツ特定情報に対する利用条件を示す情報が格納され、
当該各コンテンツ特定情報に対する利用条件を示す情報を参照し、検出されたコンテンツの利用条件を前記リスト中に表示することを特徴とする請求項６に記載の鍵管理方法。
【請求項１０】
前記ユーザデータ領域に格納されている暗号化コンテンツ鍵に対応するタイトルの情報が前記ユーザデータ領域に格納され、
検出されたコンテンツのタイトルを前記リスト中に表示することを特徴とする請求項６に記載の鍵管理方法。
【発明の詳細な説明】
【技術分野】
【０００１】
本発明は、暗号化コンテンツ鍵を用いて復号可能な暗号化コンテンツのリストを表示する表示装置および鍵管理方法に関する。
【背景技術】
【０００２】
暗号化された著作権保護コンテンツと、それらのコンテンツを復号するためのコンテンツ鍵を別々に管理することができるＳＤ−ＳＤ（ＳＤ−Ｓｅｐａｒａｔｅ  Ｄｅｌｉｖｅｒｙ）がＳＤ  Ｃａｒｄ  Ａｓｓｏｃｉａｔｉｏｎによって規格化されている。
【０００３】
ＳＤ−ＳＤにおいては、コンテンツ本体はパソコンなどの大容量ストレージに暗号化されて保管され、コンテンツ鍵はＳＤメモリカードに保存して別々に持ち運ぶことができる。
【０００４】
特許文献１には、コンテンツ識別子が記憶媒体に付加され、鍵はコピー防止された別の記憶媒体に格納されて、コンテンツ識別子と比較されることが開示されている。
【特許文献１】特表２００８−５１３９１５号公報
【発明の開示】
【発明が解決しようとする課題】
【０００５】
ところが、コンテンツ鍵を保存するＳＤメモリカードなどのストレージの数が増加するに伴い、どのストレージにどのコンテンツ鍵を保存していたかがわからなくなり、それを確かめるためにユーザはストレージをパソコン（外部デバイス）に物理的に接続して確認しなければならなく、使い勝手が悪いものである。
【０００６】
本発明の目的は、外部デバイスに格納に格納され、メモリカードに格納されているコンテンツ鍵に対応する暗号化コンテンツをユーザが確認することが可能な表示装置および鍵管理方法を提供することにある。
【課題を解決するための手段】
【０００７】
本発明の一例に係わる表示装置は、表示画面を有する表示デバイスと、ユーザ鍵によって暗号化される１以上の暗号化コンテンツ鍵、各暗号化コンテンツ鍵に対応するコンテンツ毎に当該コンテンツに固有なコンテンツ特定情報のリスト情報が格納されるユーザデータ領域を有するメモリカードが挿抜可能なカードスロットと、前記コンテンツを一つ以上有する外部デバイスとピアツーピア形式で通信が可能な無線通信デバイスと、前記近距離無線通信デバイスが近距離無線通信を行っている外部デバイスが有するコンテンツのコンテンツ特定情報を取得する手段と、前記ユーザデータ領域に格納されているリスト情報から前記取得したコンテンツを示す情報に一致するコンテンツ特定情報を検出するコンテンツ特定情報検出手段と、前記検出されたコンテンツ特定情報に対応するコンテンツのリストを前記表示デバイスの表示画面上に表示する表示処理手段とを具備することを特徴とする。
【０００８】
本発明の一例に係わる鍵管理方法は、ユーザ鍵によって暗号化される１以上の暗号化コンテンツ鍵、各暗号化コンテンツ鍵に対応するコンテンツ毎に当該コンテンツに固有なコンテンツ特定情報のリスト情報が格納されるユーザデータ領域を有するメモリカードが挿抜可能なカードスロットと、前記コンテンツを一つ以上有する外部デバイスとピアツーピア形式で通信が可能な無線通信デバイスとを有する表示装置の鍵管理方法であって、前記近距離無線通信デバイスが近距離無線通信を行っている外部デバイスが有するコンテンツのコンテンツ特定情報を取得し、前記ユーザデータ領域に格納されているリスト情報から前記取得したコンテンツを示す情報に一致するコンテンツ特定情報を検出し、前記検出されたコンテンツ特定情報に対応するコンテンツのリストを表示デバイスの表示画面上に表示することを特徴とする。
【発明の効果】
【０００９】
外部デバイスに格納に格納され、メモリカードに格納されているコンテンツ鍵に対応する暗号化コンテンツをユーザが確認することが可能になる。
【発明を実施するための最良の形態】
【００１０】
本発明の実施の形態を以下に図面を参照して説明する。
【００１１】
図１は本発明の一実施形態に係わる表示装置としての携帯電話機１０およびノートブック型パーソナルコンピュータ３０Ａ，３０Ｂ，３０Ｃの外観を示す斜視図である。  
携帯電話機１０およびコンピュータ３０Ａ〜３０Ｃのそれぞれは近距離無線通信機能有する。
【００１２】
携帯電話機１０とコンピュータ３０Ａ〜３０Ｃの何れか１台とは、近接無線通信を実行する。近接無線通信は、ＮＦＣ（Ｎｅａｒ  Ｆｉｅｌｄ  Ｃｏｍｍｕｎｉｃａｔｉｏｎ）の一種である。携帯電話機１０とコンピュータ３０Ａ〜３０Ｃの何れか１台との間の近接無線通信は、ピアツーピア形式で実行される。通信可能距離は例えば３ｃｍである。携帯電話機１０とコンピュータ３０Ａ〜３０Ｃの何れか１台との間の無線接続は、携帯電話機１０とコンピュータ３０Ａ〜３０Ｃの何れか１台との間の距離が通信可能距離（例えば３ｃｍ）以内に接近した場合にのみ可能となる。携帯電話機１０とコンピュータ３０Ａ〜３０Ｃの何れか１台とが通信可能距離以内に接近すると、コンピュータ３０Ａ〜３０Ｃの何れか１台との間の接続が確立される。
【００１３】
近接無線通信においては、誘導電界が用いられる。近接無線通信方式としては、例えばＴｒａｎｓｆｅｒ  ＪＥＴを使用し得る。Ｔｒａｎｓｆｅｒ  ＪＥＴは、ＵＷＢを利用した近接無線通信方式であり、高速データ転送を実現することができる。
【００１４】
図２は、本発明の一実施形態に係わる携帯電話機１０のシステム構成の一例を示すブロック図である。  
図２に示すように、携帯電話機１０は、ＣＰＵ１１、メインメモリ１２、フラッシュメモリ１３、液晶ディスプレイ１４、ダイヤルキー１５、マイクロフォン１６、スピーカ１７、カードスロット１８、セルラベースバンド・トランシーバ１９、デジタルカメラ２０、近接無線ベースバンドＬＳＩ２１、近接無線トランシーバＬＳＩ２２、および近接無線高周波結合器２３等を有する。
【００１５】
ＣＰＵ１１は、携帯電話機の動作を制御するプロセッサであり、メインメモリ１２にロードされる、オペレーティングシステム（ＯＳ）、メーラーやバックアップデータ伝送ソフトウェア等の各種アプリケーションプログラムを実行する。
【００１６】
フラッシュメモリ１３は、ユーザが取得したデータファイル等の格納場所である。例えば、フラッシュメモリ１３には、電話帳、メールのデータファイルや、デジタルカメラ２０で撮影したイメージデータファイルが格納される。
【００１７】
ダイヤルキー１５は、ユーザの操作により電話番号を入力したり、文字を入力するために設けられている。
【００１８】
カードスロット１８は、メモリカード１８Ａが挿抜可能なスロットである。セルラベースバンド・トランシーバ１９は、基地局との通信を行うために設けられた回路である。  
近接無線ベースバンドＬＳＩ２１は、近接無線通信のためのベースバンド信号処理を行うＬＳＩである。近接無線トランシーバＬＳＩ２２は近接無線通信のための高周波信号の入出力を行うＬＳＩである。近接無線高周波結合器２３は近接無線通信のための電界結合を構成するアンテナであり、コンピュータ３０から送出された誘導電界を高周波信号に変換する、或いは近接無線トランシーバＬＳＩ２２から供給された高周波信号を誘導電界として送出する。
【００１９】
図３は、本発明の一実施形態に係わる無線通信装置としてのパーソナルコンピュータ３０（３０Ａ〜３０Ｃ）のシステム構成を示すブロック図である。  
図３に示すように、パーソナルコンピュータ３０は、ＣＰＵ３１、メインメモリ３２、ハードディスクドライブ（ＨＤＤ）３３、液晶ディスプレイ３４、キーボード３５、マウス３６、ＰＣカードスロット３７、ＬＡＮ  ＭＡＣ／ＰＨＹ３８、ＵＳＢマスタインタフェース３９、近接無線ベースバンドＬＳＩ４０、近接無線トランシーバＬＳＩ４１、および近接無線高周波結合器４２等を有する。
【００２０】
ＣＰＵ３１は、コンピュータ３０の動作を制御するプロセッサであり、メインメモリ３２にロードされる、オペレーティングシステム（ＯＳ）、各種アプリケーションプログラムを実行する。
【００２１】
ＰＣカードスロット３７にはＰＣＭＣＩＡ規格のＰＣカードが挿抜可能である。また、ＬＡＮ  ＭＡＣ／ＰＨＹ３８はイーサネット（登録商標）等のネットワークを介して他の機器との通信を行うためのチップである。  
近接無線ベースバンドＬＳＩ２１は、近接無線通信のためのベースバンド信号処理を行うＬＳＩである。近接無線トランシーバＬＳＩ４１は近接無線通信のための高周波信号の入出力を行うＬＳＩである。近接無線高周波結合器４２は近接無線通信のための電界結合を構成するアンテナであり、携帯電話機１０から送出された誘導電界を高周波信号に変換する、或いは近接無線トランシーバＬＳＩ４１から供給された高周波信号を誘導電界として送出する。
【００２２】
次に、コンピュータ３０のＨＤＤ３３に格納されているデータについて図４を参照して説明する。  
コンピュータ３０のハードディスクドライブ３３内には、あるコンテンツ鍵で暗号化されたコンテンツ１０１Ａ、１０１Ｂ、１０１Ｃ、...と、これらの暗号化コンテンツ１０１Ａ、１０１Ｂ、１０１Ｃ、...とコンテンツ鍵を関連付けるためのコンテンツＩＤリスト１１０とを有する。ここで、コンテンツ鍵とは、コンテンツを暗号化している鍵そのものを意味する。
【００２３】
次に、携帯電話機１０のカードスロット１８に挿入されたメモリカード１８Ａに格納されているデータについて図５を参照して説明する。  
携帯電話機１０のメモリカード１８Ａは、ユーザが通常アクセスすることがができない保護領域２００とユーザが通常アクセスすることができるユーザデータ領域２１０とから構成されている。ＳＤカードのようなストレージデバイスはこのような構造である。
【００２４】
携帯電話機１０のメモリカード１８Ａびユーザデータ領域２１０には、様々なコンテンツ鍵を暗号化した暗号化コンテンツ鍵２１１Ａ，２１１Ｂ，２１１Ｃ，...と、暗号化コンテンツ鍵２１１Ａ，２１１Ｂ，２１１Ｃ，...とコンテンツとを関連付けるためのコンテンツ鍵管理情報２２０とが格納されている。ただし、暗号化コンテンツ鍵２１１Ａ，２１１Ｂ，２１１Ｃ，...は、誰もが利用できる平文で保存されているのではなく、ユーザ鍵２０１によって暗号化されて状態で保存されている。ユーザ鍵２０１は保護領域２００に格納されている。コンテンツ鍵管理情報２２０も、ユーザデータ領域２１０に保存されているが、暗号化された状態ではなく、平文の状態である。
【００２５】
次に、コンテンツ本体とコンテンツ鍵を関連付けるためのメタ情報について説明をする。図６はコンピュータ３０のハードディスクドライブ３３に格納されているコンテンツＩＤリスト１１０のデータ構造について示したものである。コンテンツＩＤリスト１１０はコンテンツ毎にユニークなコンテンツＩＤ値（コンテンツ特定情報）が昇順に並べられたリスト構造のものである。コンテンツＩＤ値は各コンテンツ本体から生成されるユニークな値である。コンテンツＩＤリスト１１０内において、各コンテンツＩＤの値と暗号化コンテンツは１対１対応であり。双方向検索ができる。
【００２６】
図７は携帯電話機１０のメモリカード１８Ａ内に格納されているコンテンツ鍵管理情報２２０のデータ構造について示したものである。コンテンツ鍵管理情報２２０は暗号化コンテンツと、それの暗号化コンテンツ鍵１０１Ａ、１０１Ｂ、１０１Ｃを対応付けるためのものであり、コンテンツＩＤと暗号化されたコンテンツ鍵のテーブル構造のものである。
【００２７】
図８を参照して、メモリカード１８Ａのユーザデータ領域２１０内に格納されているコンテンツメタ情報２３０の例を説明する。図８に示すように、各コンテンツＩＤ値に対してタイトル（Ｔｉｔｌｅ）、残コピー回数（Ｃｏｐｉｒａｂｌｅ  Ｎｕｍｂｅｒ）、移動（Ｍｏｖｅ）、有効期限（Expiration Date）が関連づけられている。なお、残コピー回数（Ｃｏｐｉｒａｂｌｅ  Ｎｕｍｂｅｒ）、移動（Ｍｏｖｅ）、有効期限（Expiration Date）等のコンテンツのＵｓａｇｅ  Ｒｕｌｅ（再生条件／使用条件）は暗号化されている。
【００２８】
ところで、メモリカード１８Ａ内には暗号化コンテンツ鍵２１１Ａ，２１１Ｂ，２１１Ｃ，...が格納されているだけで、暗号化コンテンツは格納されていなくても良い。図１に示すように、複数台のコンピュータ３０Ａ〜３０Ｃ内に暗号化コンテンツが格納されている場合、コンピュータ３０Ａ〜３０Ｃと携帯電話機１０に格納されているメモリカードとの組み合わせで、どのようなコンテンツを再生することができるかは容易には分からない。
【００２９】
本実施形態の携帯電話機１０では、近接距離無線通信を利用してコンピュータ３０Ａ〜３０Ｃから選ばれた１台のコンピュータの上に携帯電話機１０を載せて、携帯電話機１０とコンピュータとの間で近接距離無線通信を行った場合に、携帯電話機１０は、携帯電話機１０と近接距離無線通信を行っているコンピュータとの組み合わせに対応するコンテンツのリストを液晶ディスプレイ１４の表示画面上に表示する。
【００３０】
図９は、携帯電話機１０がコンピュータ３０の暗号化コンテンツ１０１Ａ、１０１Ｂ、１０１Ｃ、…のコンテンツＩＤ値が格納されているコンテンツＩＤリスト１１０から、コンテンツ鍵を検索する手順について説明したものである。コンテンツＩＤリスト１１０から、対象コンテンツのコンテンツＩＤ値を検索した後に、コンテンツ鍵管理情報２２０において、そのコンテンツＩＤ値と一致するフィールドを検索する。検索がヒットした場合には、そのＩＤに対応する暗号化コンテンツ鍵をコンテンツ鍵管理情報２２０から取得することができる。
【００３１】
図１０は携帯電話機１０とコンピュータ３０との間で行なわれるデータ交換を示したものである。携帯電話機１０がコンピュータ３０の筐体表面にタッチすると、まず、最初に近距離無線通信のリンクの接続が確立される（Ｓ１−Ｓ２）。近距離無線通信のリンクが確立されると、携帯電話機１０がプロトコル開始デバイスとなり、コンピュータ３０に格納されているコンテンツに関するすべてのコンテンツＩＤの要求依頼を送信する（Ｓ３）。コンピュータ３０は所持するコンテンツＩＤリストを携帯電話機１０へ返信する（Ｓ４−Ｓ５）。携帯電話機１０はコンテンツＩＤリストを受け取ると、図９に示した手順で各コンテンツＩＤに対応するコンテンツ鍵を取得することができる（Ｓ６）。ここで、コンテンツＩＤからコンテンツ鍵を取得できたものだけが、携帯電話機１０とコンピュータ３０との組み合わせで再生することのできるコンテンツとなる。また、暗号化コンテンツ鍵は、それのタイトル名などのコンテンツメタ情報をペアで管理されているため、同時にそれらを取得することができる。携帯電話機１０はコンテンツＩＤからコンテンツメタ情報を取得すると、近接距離無線通信を行っているコンピュータとの組み合わせに対応するをタイトル名などを含めて液晶ディスプレイに表示する（Ｓ７）。
【００３２】
次に、図１１を参照して携帯電話機１０とコンピュータ３０との組み合わせに対応するコンテンツのリストを表示するための構成を説明する。
【００３３】
図１１に示すように、携帯電話機１０は、近接無線通信ユニット３００、コンテンツＩＤリスト取得モジュール３０１、コンテンツ検索モジュール３０２、Ｕｓａｇｅ  Ｒｕｌｅ取得モジュール３０３、表示モジュール３０４、および液晶ディスプレイ１４等を有する。
【００３４】
近接無線通信ユニット３００は、近接無線ベースバンドＬＳＩ２１、近接無線トランシーバＬＳＩ２２、および近接無線高周波結合器からなる近接無線通信を実行するユニットである。
【００３５】
コンテンツＩＤリスト取得モジュール３０１は、コンピュータ３０のハードディスクドライブ３３に格納されているコンテンツＩＤリスト１１０を取得するための処理を実行する。
【００３６】
コンテンツ検索モジュール３０２は、コンテンツＩＤリスト取得モジュール３０１が取得したコンテンツＩＤリスト１１０とコンテンツ鍵管理情報２２０とを比較して、コンテンツ鍵管理情報２２０に含まれるコンテンツＩＤからコンテンツＩＤリスト１１０に含まれるコンテンツＩＤを検出（抽出）するための処理を実行する。
【００３７】
Ｕｓａｇｅ  Ｒｕｌｅ取得モジュール３０３は、コンテンツ検索モジュール３０２が検出（抽出）したコンテンツＩＤを基にコンテンツメタ情報２３０を参照して、検出（抽出）したコンテンツＩＤのタイトル、Ｕｓａｇｅ  Ｒｕｌｅを取得するための処理を実行する。そして、取得したタイトルおよびＵｓａｇｅ  Ｒｕｌｅを示すデータを表示モジュール３０４に渡す。
【００３８】
表示モジュール３０４は、渡されたデータに基づいて液晶ディスプレイ１４に携帯電話機１０とコンピュータ３０との組み合わに対応するコンテンツのリストを表示するためのデータを生成し、データを液晶ディスプレイ１４に送信する。
【００３９】
また、近接無線通信ユニット４５は、近接無線ベースバンドＬＳＩ４０、近接無線トランシーバＬＳＩ４１、および近接無線高周波結合器４２からなる近接無線通信を実行するユニットである。
【００４０】
図１２は、携帯電話機１０の液晶ディスプレイ１４の表示画面上に表示されるコンテンツリストの例を示す。携帯電話機１０とコンピュータ３０との組み合わせに対応するコンテンツのリストの一例を示すものであるが、コンテンツタイトル名などに加えて、コピー制御情報やコンテンツ有効期限などのＵｓａｇｅ  Ｒｕｌｅ情報を合わせて表示されているのでとわかりやすい。通常、Ｕｓａｇｅ  Ｒｕｌｅもコンテンツ鍵とペアで保存されており、同様にユーザ鍵で暗号化された状態でユーザデータ領域に格納されているため、表示するためにはそれを復号しなければならない。なお、ユーザの設定により、有効期限が過ぎているコンテンツを表示しないようにして、再生可能なコンテンツのみをリスト上に表示しても良い。
【００４１】
また、再生可能なコンテンツではないが、コンテンツの有効期限が切れているコンテンツの場合（コンテンツ３）などは、赤色の文字で表示するなど何らかの方法で他のコンテンツと区別できるようにしてユーザに警告するのが望ましい。
【００４２】
コンピュータのハードディスクドライブに格納に格納され、ピアツーピア形式の通信で接続されているコンピュータのハードディスクドライブに格納されている暗号化コンテンツからメモリカードに格納されているコンテンツ鍵に対応する暗号化コンテンツのリストを液晶ディスプレイ１４に表示することによって、ユーザが再生可能なコンテンツを確認することが可能になる。
【００４３】
特に近接無線通信を用いるとタッチという直感的な操作だけでメモリカードなどのストレージに保存された暗号化コンテンツ鍵がどのコンテンツ用のものであるかを容易に確認することができるようになる。
【００４４】
なお、上記実施形態では、ピアツーピア形式で通信を行うデバイスとして近接無線通信（例えばＴｒａｎｓｆｅｒ  ＪＥＴ）を挙げたが、ピアツーピア形式で通信を行う方法であれば他の方法であっても良い。例えば、Ｂｌｕｅｔｏｏｔｈ（登録商標）方式の通信であっても良い。
【００４５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４６】
【図１】本発明の一実施形態に係わる表示装置としての携帯電話機および３台のノートブック型パーソナルコンピュータの外観を示す斜視図。
【図２】本発明の一実施形態に係わる携帯電話機のシステム構成の一例を示すブロック図。
【図３】本発明の一実施形態に係わる無線通信装置としてのパーソナルコンピュータのシステム構成を示すブロック図。
【図４】図３に示すコンピュータのハードディスクドライブに格納されているデータを説明するための図。
【図５】図２に示す携帯電話機のカードスロットに挿入されたメモリカードに格納されているデータを説明するための図。
【図６】コンピュータのハードディスクドライブに格納されているコンテンツＩＤリストのデータ構造を示す図。
【図７】携帯電話機のメモリカード内に格納されているコンテンツ鍵管理情報のデータ構造を示す図。
【図８】メモリカードのユーザデータ領域内に格納されているコンテンツメタ情報の一例を示す図。
【図９】携帯電話機がコンピュータのハードディスクドライブに格納されている暗号化コンテンツのコンテンツＩＤ値が格納されているコンテンツＩＤリストからコンテンツ鍵を検索する手順について説明するための図。
【図１０】携帯電話機とコンピュータとの間で行なわれるデータ交換を説明するための図。
【図１１】携帯電話機とコンピュータとの組み合わせに対応するコンテンツのリストを表示するための構成を示すブロック図。
【図１２】携帯電話機１０の液晶ディスプレイ１４の表示画面上に表示されるコンテンツリストの一例を示す図。
【符号の説明】
【００４７】
１０…携帯電話機，１４…液晶ディスプレイ，１８…カードスロット，１８Ａ…メモリカード，２１…近接無線ベースバンドＬＳＩ，２２…近接無線トランシーバＬＳＩ，２３…近接無線高周波結合器，３０Ａ．３０Ｂ．３０Ｃ…ノートブック型パーソナルコンピュータ，３３…ハードディスクドライブ，４０…近接無線ベースバンドＬＳＩ，４１…近接無線トランシーバＬＳＩ，４２…近接無線高周波結合器，４５…近接無線通信ユニット、１０１Ａ．１０１Ｂ．１０１Ｃ…暗号化コンテンツ，１１０…コンテンツＩＤリスト，２００…保護領域，２０１…ユーザ鍵，２１０…ユーザデータ領域，２１１Ａ．２１１Ｂ．２１１Ｃ…暗号化コンテンツ鍵，２２０…コンテンツ鍵管理情報，２３０…コンテンツメタ情報，３００…近接無線通信ユニット、３０１…ＩＤリスト取得モジュール，３０２．Ｕｓａｇｅ…コンテンツ検索モジュール，３０２…コンテンツ検索モジュール，３０３…取得モジュール，３０４…表示モジュール。
【図１】
2010061374.tif 000003
【図２】
2010061374.tif 000004
【図３】
2010061374.tif 000005
【図４】
2010061374.tif 000006
【図５】
2010061374.tif 000007
【図６】
2010061374.tif 000008
【図７】
2010061374.tif 000009
【図８】
2010061374.tif 000010
【図９】
2010061374.tif 000011
【図１０】
2010061374.tif 000012
【図１１】
2010061374.tif 000013
【図１２】
2010061374.tif 000014
【手続補正書】
【提出日】平成21年9月28日(2009.9.28)
【手続補正１】
【補正対象書類名】特許請求の範囲
【補正対象項目名】請求項６
【補正方法】変更
【補正の内容】
【請求項６】
ユーザ鍵によって暗号化される１以上の暗号化コンテンツ鍵、各暗号化コンテンツ鍵に対応するコンテンツ毎に当該コンテンツに固有なコンテンツ特定情報のリスト情報が格納されるユーザデータ領域を有するメモリカードが挿抜可能なカードスロットと、前記コンテンツを一つ以上有する外部デバイスとピアツーピア形式で通信が可能な近距離無線通信デバイスとを有する表示装置の鍵管理方法であって、
前記近距離無線通信デバイスが近距離無線通信を行っている外部デバイスが有するコンテンツのコンテンツ特定情報を取得し、
前記ユーザデータ領域に格納されているリスト情報から前記取得したコンテンツを示す情報に一致するコンテンツ特定情報を検出し、
前記検出されたコンテンツ特定情報に対応するコンテンツのリストを表示デバイスの表示画面上に表示することを特徴とする鍵管理方法。
【手続補正２】
【補正対象書類名】明細書
【補正対象項目名】０００８
【補正方法】変更
【補正の内容】
【０００８】
本発明の一例に係わる鍵管理方法は、ユーザ鍵によって暗号化される１以上の暗号化コンテンツ鍵、各暗号化コンテンツ鍵に対応するコンテンツ毎に当該コンテンツに固有なコンテンツ特定情報のリスト情報が格納されるユーザデータ領域を有するメモリカードが挿抜可能なカードスロットと、前記コンテンツを一つ以上有する外部デバイスとピアツーピア形式で通信が可能な近距離無線通信デバイスとを有する表示装置の鍵管理方法であって、前記近距離無線通信デバイスが近距離無線通信を行っている外部デバイスが有するコンテンツのコンテンツ特定情報を取得し、前記ユーザデータ領域に格納されているリスト情報から前記取得したコンテンツを示す情報に一致するコンテンツ特定情報を検出し、前記検出されたコンテンツ特定情報に対応するコンテンツのリストを表示デバイスの表示画面上に表示することを特徴とする。
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
表示画面を有する表示デバイスと、
ユーザ鍵によって暗号化される１以上の暗号化コンテンツ鍵と、前記暗号化コンテンツ鍵によって復号可能な各コンテンツに固有なコンテンツ特定情報を含むリスト情報とが格納されるユーザデータ領域を有するメモリカードが挿抜可能なカードスロットと、
外部デバイスとピアツーピア形式で通信が可能な近接無線通信デバイスと、
前記近接無線通信デバイスが近接無線通信を行っている前記外部デバイスから、前記外部デバイスが有するコンテンツのコンテンツ特定情報を取得する手段と、
前記メモリカードのユーザデータ領域に格納されているリスト情報に含まれるコンテンツ特定情報の内、前記取得したコンテンツ特定情報に一致するコンテンツ特定情報を検出するコンテンツ特定情報検出手段と、
前記検出したコンテンツ特定情報に対応するコンテンツのリストを前記表示デバイスの表示画面上に表示する表示処理手段とを具備することを特徴とする表示装置。
【請求項２】
前記ユーザデータ領域には当該各コンテンツ特定情報に対する再生条件を示す情報が格納され、
当該各コンテンツ特定情報に対する再生条件を示す情報を参照することによって、前記検出したコンテンツ特定情報の内から前記近接無線通信を行っている外部デバイスと前記表示装置との組み合わせで再生することができるコンテンツに対応するコンテンツ特定情報を検出する再生可能コンテンツ検出手段を更に具備し、
前記表示処理手段は、前記再生可能コンテンツ検出手段によって検出されたコンテンツ特定情報に対応するコンテンツのリストを前記表示デバイスの表示画面上に表示することを特徴とする請求項１に記載の表示装置。
【請求項３】
前記ユーザデータ領域には当該各コンテンツ特定情報に対する再生条件を示す情報が格納され、
当該各コンテンツ特定情報に対する再生条件を示す情報を参照し、前記検出したコンテンツ特定情報の内から前記近接無線通信を行っている外部デバイスと前記表示装置との組み合わせで再生することができないコンテンツに対応するコンテンツ特定情報を検出する再生不能コンテンツ検出手段を更に具備し、
前記表示処理手段は、前記再生不能コンテンツ検出手段によって検出されたコンテンツ特定情報に対応するコンテンツが前記コンテンツ特定情報検出手段によって検出されたコンテンツ特定情報の内から前記再生不能コンテンツ検出手段によって検出されなかったコンテンツ特定情報に対応するコンテンツと区別できるように前記コンテンツのリストを前記表示画面上に表示するための処理を実行することを特徴とする請求項１に記載の表示装置。
【請求項４】
前記ユーザデータ領域には当該各コンテンツ特定情報に対する利用条件を示す情報が格納され、
前記表示処理手段は、当該各コンテンツ特定情報に対する利用条件を示す情報を参照し、検出されたコンテンツの利用条件を前記リスト中に表示することを特徴とする請求項１に記載の表示装置。
【請求項５】
前記ユーザデータ領域に格納されている暗号化コンテンツ鍵に対応するタイトルの情報が前記ユーザデータ領域に格納され、
前記表示処理手段は、検出されたコンテンツのタイトルを前記リスト中に表示することを特徴とする請求項１に記載の表示装置。
【請求項６】
ユーザ鍵によって暗号化される１以上の暗号化コンテンツ鍵と、前記暗号化コンテンツ鍵によって復号可能な各コンテンツに固有のコンテンツ特定情報を含むリスト情報とが格納されるユーザデータ領域を有するメモリカードが挿抜可能なカードスロットと、前記コンテンツを一つ以上有する外部デバイスとピアツーピア形式で通信が可能な近接無線通信デバイスとを有する表示装置の鍵管理方法であって、
前記近接無線通信デバイスと前記外部デバイスとの間のピアツーピア形式での通信によって、前記外部デバイスが有するコンテンツのコンテンツ特定情報を前記外部デバイスから取得し、
前記メモリカードのユーザデータ領域に格納されているリスト情報に含まれるコンテンツ特定情報と前記取得したコンテンツ特定情報とを比較して、前記リスト情報に含まれるコンテンツ特定情報の内、前記取得したコンテンツ特定情報に一致するコンテンツ特定情報を検出し、
前記検出したコンテンツ特定情報に対応するコンテンツのリストを前記表示装置の表示画面上に表示することを特徴とする鍵管理方法。
【請求項７】
前記ユーザデータ領域には当該各コンテンツ特定情報に対する再生条件を示す情報が格納され、
当該各コンテンツ特定情報に対する再生条件を示す情報を参照することによって、前記検出したコンテンツ特定情報の内から前記近接無線通信を行っている外部デバイスと前記表示装置との組み合わせで再生することができるコンテンツに対応するコンテンツ特定情報を更に検出し、
前記更に検出されたコンテンツ特定情報に対応するコンテンツのリストを前記表示デバイスの表示画面上に表示することを特徴とする請求項６に記載の鍵管理方法。
【請求項８】
前記ユーザデータ領域には当該各コンテンツ特定情報に対する再生条件を示す情報が格納され、
当該各コンテンツ特定情報に対する再生条件を示す情報を参照し、前記検出されたコンテンツ特定情報の内から前記近接無線通信を行っている外部デバイスと前記表示装置との組み合わせで再生することができないコンテンツに対応するコンテンツ特定情報を更に検出し、
前記更に検出されたコンテンツ特定情報に対応するコンテンツが前記検出されたコンテンツ特定情報の内から前記第２の検出によって検出されなかったコンテンツ特定情報に対応するコンテンツと区別できるように前記コンテンツのリストを前記表示画面上に表示することを特徴とする請求項６に記載の鍵管理方法。
【請求項９】
前記ユーザデータ領域には当該各コンテンツ特定情報に対する利用条件を示す情報が格納され、
当該各コンテンツ特定情報に対する利用条件を示す情報を参照し、検出されたコンテンツの利用条件を前記リスト中に表示することを特徴とする請求項６に記載の鍵管理方法。
【請求項１０】
前記ユーザデータ領域に格納されている暗号化コンテンツ鍵に対応するタイトルの情報が前記ユーザデータ領域に格納され、
検出されたコンテンツのタイトルを前記リスト中に表示することを特徴とする請求項６に記載の鍵管理方法。
【手続補正２】
【補正対象書類名】明細書
【補正対象項目名】０００７
【補正方法】変更
【補正の内容】
【０００７】
本発明の一例に係わる表示装置は、表示画面を有する表示デバイスと、ユーザ鍵によって暗号化される１以上の暗号化コンテンツ鍵と、前記暗号化コンテンツ鍵によって復号可能な各コンテンツに固有なコンテンツ特定情報を含むリスト情報とが格納されるユーザデータ領域を有するメモリカードが挿抜可能なカードスロットと、外部デバイスとピアツーピア形式で通信が可能な近接無線通信デバイスと、前記近接無線通信デバイスが近接無線通信を行っている前記外部デバイスから、前記外部デバイスが有するコンテンツのコンテンツ特定情報を取得する手段と、前記メモリカードのユーザデータ領域に格納されているリスト情報に含まれるコンテンツ特定情報の内、前記取得したコンテンツ特定情報に一致するコンテンツ特定情報を検出するコンテンツ特定情報検出手段と、前記検出したコンテンツ特定情報に対応するコンテンツのリストを前記表示デバイスの表示画面上に表示する表示処理手段とを具備することを特徴とする。
【手続補正３】
【補正対象書類名】明細書
【補正対象項目名】０００８
【補正方法】変更
【補正の内容】
【０００８】
本発明の一例に係わる鍵管理方法は、ユーザ鍵によって暗号化される１以上の暗号化コンテンツ鍵と、前記暗号化コンテンツ鍵によって復号可能な各コンテンツに固有のコンテンツ特定情報を含むリスト情報とが格納されるユーザデータ領域を有するメモリカードが挿抜可能なカードスロットと、前記コンテンツを一つ以上有する外部デバイスとピアツーピア形式で通信が可能な近接無線通信デバイスとを有する表示装置の鍵管理方法であって、前記近接無線通信デバイスと前記外部デバイスとの間のピアツーピア形式での通信によって、前記外部デバイスが有するコンテンツのコンテンツ特定情報を前記外部デバイスから取得し、前記メモリカードのユーザデータ領域に格納されているリスト情報に含まれるコンテンツ特定情報と前記取得したコンテンツ特定情報とを比較して、前記リスト情報に含まれるコンテンツ特定情報の内、前記取得したコンテンツ特定情報に一致するコンテンツ特定情報を検出し、前記検出したコンテンツ特定情報に対応するコンテンツのリストを前記表示装置の表示画面上に表示することを特徴とする。
【手続補正４】
【補正対象書類名】図面
【補正対象項目名】図１０
【補正方法】変更
【補正の内容】
【図１０】
2010061374.tif 000015